(57)【要約】【課題】住宅の天井裏に配設されるダクトによって居室内の空調空気を当該居室よりも容積の小さな非居室内に案内することで、空調空気を非居室の空調に利用し、かつ当該空調空気を、非居室の天井裏へ再度案内することなく、非居室の下部から排出するようにした住宅のための空調システムを提供する。【解決手段】案内ダクト３０は、住宅１０の天井裏に配設されて、化粧室１４の天井１４ａの開口部１４ｂを居間１１の天井１１ｃの開口部１１ｄに連通させる。換気扇４０は、化粧室１４の壁１４ｅの下端部に形成した排出口部１４ｄに嵌着されている。当該換気扇４０がその作動により化粧室１４内の空気を排出すると、居間１１内の暖房空気は、案内ダクト３０により化粧室１４内に案内されて、当該化粧室１４を暖房する。【選択図】図１
2007247913.tif 000002
【特許請求の範囲】
【請求項１】
給気口部を有する居室及びこの居室よりも容積の小さな非居室を備える住宅のための空調システムにおいて、
前記居室内の空気を導入して前記非居室内に案内するように住宅の天井裏に配設されるダクトと、
前記居室内の空気を空調する空調手段と、
前記非居室の壁のうち住宅の外に面する壁の下部に設けられて前記居室内の空調空気を前記給気口部からの住宅の外側の空気とともに前記ダクト内に導入するように前記非居室内の空気を排出する排出手段を備えることを特徴とする住宅のための空調システム。
【請求項２】
前記非居室は、化粧室、更衣室、ホール及び廊下のいずれかであり、前記排出手段は換気扇であることを特徴とする請求項１に記載の住宅のための空調システム。
【請求項３】
給気口部を有する居室、この居室よりも容積の小さな第１非居室及びこの第１非居室よりも低い頻度にて使用されかつ前記居室よりも容積の小さい第２非居室を備える住宅のための空調システムにおいて、
住宅の天井裏に配設されて前記第１及び第２の非居室を前記居室に連通させるダクトと、
前記居室内の空気を空調する空調手段と、
前記第１非居室の壁のうち住宅の外に面する壁の下部に設けられて前記居室内の空調空気を前記給気口部からの住宅の外側の空気とともに前記ダクトにより前記第１非居室内に案内させるように当該第１非居室内の空気を作動に応じて排出する第１排出手段と、
前記第２非居室の壁のうち住宅の外に面する壁の下部に設けられて前記居室内の空調空気を前記給気口部からの住宅の外側の空気とともに前記ダクトにより前記第２非居室内に案内させるように当該第２非居室内の空気を作動に応じて排出する第２排出手段と、
前記第１排出手段を作動させるとき操作される第１操作手段と、
前記第２排出手段を作動させるとき操作される第２操作手段と、
前記第１操作手段の操作に基づき前記第１排出手段を作動するように制御する第１制御手段と、
前記第１制御手段による制御状態にて前記第２操作手段の操作に基づき前記第２排出手段を作動するように制御する第２制御手段とを備えることを特徴とする住宅のための空調システム。
【請求項４】
前記第２制御手段は、前記第２操作手段の操作の解除に基づき前記第２排出手段を停止し、かつ前記第１排出手段を作動するように制御することを特徴とする請求項３に記載の住宅のための空調システム。
【請求項５】
前記第１非居室は化粧室であり、
前記第２非居室は、更衣室、廊下及びホールのいずれかであり、
前記第１排出手段は、前記化粧室の住宅の外に面する壁の下端部に設けられる第１非居室用換気扇であり、
前記第２排出手段は、前記更衣室、廊下及びホールのいずれかの住宅の外に面する壁の下端部に設けられる第２非居室用換気扇であることを特徴とする請求項３または４に記載の住宅のための空調システム。
【請求項６】
前記第１非居室用換気扇を作動させるとき操作される第３操作手段を備え、
前記化粧室の前記居室に対する連通並びに前記更衣室、廊下及びホールのいずれかの前記居室に対する連通の双方を許容するように開成し、また、前記更衣室、廊下及びホールのいずれかの前記居室に対する連通を許容しつつ前記化粧室の前記居室並びに前記更衣室、廊下及びホールのいずれかに対する各連通を遮断するように閉成するダンパ手段を前記ダクト内に備え、
前記第２制御手段が前記第２非居室用換気扇を作動させる制御状態にあるとき、前記第３操作手段の非操作状態にて前記ダンパ手段を閉成するとともに前記第１非居室用換気扇を停止するように制御し、また、前記第３操作手段の操作に基づき前記ダンパ手段を開成するとともに前記第１非居室用換気扇を作動するように制御する第３制御手段を備えて、
前記第１制御手段は、前記第１非居室用換気扇の作動とともに前記ダンパ手段を開成するように制御することを特徴とする請求項５に記載の住宅のための空調システム。
【請求項７】
前記第３制御手段による制御状態において、前記第２操作手段の操作が解除されたとき、前記第２非居室用換気扇を停止し、かつ前記ダンパ手段を開成するとともに前記第１非居室用換気扇を作動するように制御する第４制御手段を備えることを特徴とする請求項６に記載の住宅のための空調システム。
【請求項８】
前記ダクトは、互いに連通する上流部及び下流部でもって形成されて前記上流部にて前記居室に連通するとともに前記下流部にて前記化粧室に連通する本体ダクト部と、前記上流部から前記下流部とは分岐して延出し前記更衣室、廊下及びホールのいずれかに連通する分岐ダクト部とでもって構成されており、
前記ダンパ手段は、前記下流部内に開閉可能に設けたダンパであることを特徴とする請求項６または７に記載の住宅のための空調システム。
【発明の詳細な説明】
【技術分野】
【０００１】
本発明は、住宅のための空調システムに関する。
【背景技術】
【０００２】
従来、この種の住宅のための空調システムとしては、下記特許文献１に開示されたトイレ室内空調装置がある。この空調装置によれば、室内に供給された正圧の空調空気が、その正圧作用のもと、当該室の天井部の吸込口から天井裏のパスダクトを通り、トイレ室内にその天井部の吹出口を通り流入し、然る後、トイレ室からその天井部の吸込口及び天井裏の排出ダクトを通り排出ファンにより室外に排出される。
【特許文献１】特開平１１−３２５５６３号公報
【発明の開示】
【発明が解決しようとする課題】
【０００３】
ところで、上述の空調装置においては、室内に供給された空調空気をトイレ室に流入させるにあたり、パスダクトを用いている。
【０００４】
このため、上述した空調空気の熱損失を最小限に抑えた状態で、空調空気をトイレ室内に流入させ得るとしても、上述の空調装置では、わざわざ、排出ダクトを天井裏に設け、トイレ室内に流入した空調空気を、再び、天井裏の排出ダクト内に案内した上で、この排出ダクトから室外に排出するようになっている。
【０００５】
従って、上述のように、排出ダクトを天井裏に設けて、トイレ室内に流入した空調空気をわざわざ天井裏の排出ダクトへ案内するという構成が必須である点で、トイレ室から室外への空調空気の排出構成が複雑になるという不具合を招く。
【０００６】
そこで、本発明は、以上のようなことに対処するため、住宅の天井裏に配設されるダクトによって居室内の空調空気を当該居室よりも容積の小さな非居室内に案内することで、空調空気を非居室の空調に利用し、かつ当該空調空気を、非居室の天井裏へ再度案内することなく、非居室の下部から排出するようにした住宅のための空調システムを提供することを目的とする。
【課題を解決するための手段】
【０００７】
上記課題の解決にあたり、本発明は、請求項１の記載によれば、
給気口部（１１ｂ）を有する居室（１１、１２、１３）及びこの居室よりも容積の小さな非居室（１４、１５、１７、１８）を備える住宅のための空調システムにおいて、
居室内の空気を導入して非居室内に案内するように住宅の天井裏（１０ａ）に配設されるダクト（３０）と、
居室内の空気を空調する空調手段（２０）と、
非居室の壁のうち住宅の外に面する壁（１４ｅ）の下部（１４ｄ）に設けられて居室内の空調空気を上記給気口部からの住宅の外側の空気とともにダクト内に導入するように非居室内の空気を排出する排出手段（４０）を備えることを特徴とする。
【０００８】
これにより、排出手段が非居室内の空気を住宅の外側に排出している状態において、居室内の空調空気は住宅の天井裏のダクトにより非居室内に案内される。このため、非居室は居室内の空調空気でもって空調される。
【０００９】
ここで、居室から非居室内への空調空気は、ダクトでもって案内される。このため、居室内の空調空気が、熱損失を最小限に抑制しつつ、非居室内に案内される。従って、非居室が居室と実質的に同様の空調状態に維持され得る。その結果、寒い時期において上記空調状態が暖房状態になることで、非居室を使用する際その使用者は寒さを感ずることがない。また、暑い時期において上記空調状態が冷房状態になることで、非居室を使用する際その使用者は暑さを感ずることがない。なお、非居室の容積は上述のごとく居室よりも小さいので、居室の空調状態は適正に維持され得る。
【００１０】
また、上述のように居室内の空調空気は、上記供給口部からの外気の導入のもと、排出手段により非居室の内部から住宅の外側に排出される。従って、居室内の空調空気でもって非居室を適正に空調しながら、居室の換気が適正になされ得る。
【００１１】
さらに、排出手段は、上述のごとく、非居室の上記壁の下部に設けられている。このため、上述のような作用効果を達成しつつ、上述した非居室内の空調や空気の排出を、居室の換気とともに、余分な構成部材を伴うことなく、非居室の上記壁の下部に排気手段を設けるという簡単な構成でもって適正に確保し得る。
【００１２】
また、本発明は、請求項２の記載によれば、請求項１に記載の住宅のための空調システムにおいて、非居室は、化粧室（１４）、更衣室（１５）、ホール（１７）及び廊下（１８）のいずれかであり、排出手段は換気扇であることを特徴とする。
【００１３】
これにより、非居室が化粧室、更衣室、ホール及び廊下のいずれかである場合において、請求項１に記載の発明の作用効果がより一層具体的に達成され得る。また、非居室が化粧室である場合において、排出手段が上述のごとく化粧室の下部に設けられているので、当該化粧室の使用時に発生しがちな臭気は、上方へ流動することなく、排出手段により排出され得る。従って、化粧室の使用者が不快感をいだくことはない。
【００１４】
また、本発明は、請求項３の記載によれば、
給気口部（１１ｂ）を有する居室（１１、１２、１３）、この居室よりも容積の小さな第１非居室（１４）及びこの第１非居室よりも低い頻度にて使用されかつ居室よりも容積の小さい第２非居室（１５、１７、１８）を備える住宅のための空調システムにおいて、
住宅の天井裏に配設されて第１及び第２の非居室を居室に連通させるダクト（３０）と、
居室内の空気を空調する空調手段（２０）と、
第１非居室の壁のうち住宅の外に面する壁（１４ｅ）の下部（１４ｄ）に設けられて居室内の空調空気を上記給気口部からの住宅の外側の空気とともにダクトにより第１非居室内に案内させるように当該第１非居室内の空気を作動に応じて排出する第１排出手段（４０）と、
第２非居室の壁のうち住宅の外に面する壁（１５ｅ）の下部（１５ｄ）に設けられて居室内の空調空気を上記給気口部からの住宅の外側の空気とともにダクトにより第２非居室内に案内させるように当該第２非居室内の空気を作動に応じて排出する第２排出手段（５０）と、
第１排出手段を作動させるとき操作される第１操作手段（２０ａ）と、
第２排出手段を作動させるとき操作される第２操作手段（５０ａ）と、
第１操作手段の操作に基づき第１排出手段を作動するように制御する第１制御手段（１００）と、
第１制御手段による制御状態にて第２操作手段の操作に基づき第２排出手段を作動するように制御する第２制御手段（１１０、１２０、１３０）とを備えることを特徴とする。
【００１５】
これにより、空調手段による空調のもと、第１操作手段を操作すれば、第１排出手段が作動するように第１制御手段により制御される。このため、第１非居室内の空気が第１排出手段により住宅の外側に排出される。これに伴い、居室内の空調空気が、ダクトにより第１非居室内に案内されて、当該第１非居室を空調する。
【００１６】
このような状態において、第２操作手段が操作されると、第２排出手段が作動するように第２制御手段により制御される。このため、第２非居室内の空気が第２排出手段により住宅の外側に排出される。これに伴い、居室内の空調空気が、ダクトにより第２非居室内に案内されて、当該第２非居室を空調する。
【００１７】
以上のように、居室内の空調空気でもって、第１及び第２の非居室が空調される。これにより、第１及び第２の非居室の暖房や冷房による作用効果が、請求項１に記載の発明による場合と同様に、達成され得る。
【００１８】
また、第１及び第２の排出手段は、上述のごとく、それぞれ、第１及び第２の非居室の各上記壁の下部に設けられている。このため、上述のような作用効果を達成しつつ、第１及び第２の非居室内の空調や空気の排出を、居室の換気とともに、余分な構成部材を伴うことなく、第１及び第２の非居室の上記各壁の下部にそれぞれ第１及び第２の排気手段を設けるという簡単な構成でもって適正に確保し得る。その他の作用効果は請求項１に記載の発明と実質的に同様である。
【００１９】
また、本発明は、請求項４の記載によれば、請求項３に記載の住宅のための空調システムにおいて、第２制御手段は、前記第２操作手段の操作の解除に基づき第２排出手段を停止し、かつ第１排出手段を作動するように制御することを特徴とする。
【００２０】
これにより、第２非居室の空調は第２操作手段の操作中にのみなされるので、居室内の空調空気を効率よく利用しつつ請求項３に記載の発明の作用効果が達成され得る。また、上述のごとく、第２排出手段の停止に伴い第１排出手段が作動するので、上述した第１非居室の空調が居室の換気を確保しつつ継続維持され得る。
【００２１】
また、本発明は、請求項５の記載によれば、請求項３または４に記載の住宅のための空調システムにおいて、
第１非居室は化粧室（１４）であり、
第２非居室は、更衣室、廊下及びホールのいずれか（１５、１７、１８）であり、
第１排出手段は、化粧室の住宅の外に面する壁の下端部に設けられる第１非居室用換気扇（４０）であり、
第２排出手段は、前記更衣室、廊下及びホールのいずれかの住宅の外に面する壁の下端部に設けられる第２非居室用換気扇（５０）であることを特徴とする。
【００２２】
これにより、第１非居室が化粧室であり、第２非居室が更衣室、廊下及びホールのいずれかである場合において、請求項３または４に記載の発明の作用効果がより一層具体的に達成され得る。また、第１非居室用換気扇が、第１非居室である化粧室の壁の下端部に設けられているので、当該化粧室の使用時に発生しがちな臭気は、上方へ流動することなく、第１非居室用換気扇により一層確実に排出され得る。従って、化粧室の使用者は、不快感をより一層いだくことなく、当該化粧室を使用できる。
【００２３】
また、本発明は、請求項６の記載によれば、請求項５に記載の住宅のための空調システムにおいて、
第１非居室用換気扇を作動させるとき操作される第３操作手段（４０ａ）を備え、
化粧室の居室に対する連通並びに更衣室、廊下及びホールのいずれかの居室に対する連通の双方を許容するように開成し、また、更衣室、廊下及びホールのいずれかの居室に対する連通を許容しつつ化粧室の居室並びに更衣室、廊下及びホールのいずれかに対する各連通を遮断するように閉成するダンパ手段（７０）をダクト内に備え、
第２制御手段が第２非居室用換気扇を作動させる制御状態にあるとき、第３操作手段の非操作状態にてダンパ手段を閉成するとともに第１非居室用換気扇を停止するように制御し、また、第３操作手段の操作に基づきダンパ手段を開成するとともに第１非居室用換気扇を作動するように制御する第３制御手段（２４０、２５０、２５１、２６０、２６１）を備えて、
第１制御手段は、第１非居室用換気扇の作動とともにダンパ手段を開成するように制御することを特徴とする。
【００２４】
これにより、第２制御手段が第２非居室用換気扇を作動させる制御状態にあるとき、第３操作手段が非操作状態にあれば、ダンパ手段が閉成するとともに第１非居室用換気扇が停止する。このため、請求項５に記載の発明の作用効果を達成するにあたり、化粧室の使用時に発生する臭気をダンパ手段により更衣室、ホール及び廊下のいずれか及び居室から遮断しつつ、居室内の空調空気でもって、更衣室、ホール及び廊下のいずれかを適正に空調し得る。
【００２５】
また、第２制御手段が第２非居室用換気扇を作動させる制御状態にあるとき、第３操作手段が操作されれば、ダンパ手段が開成するとともに第１非居室用換気扇が作動する。このため、居室内の空調空気でもって、化粧室及び更衣室、ホール及び廊下のいずれかを適正に空調し得る。このとき、ダンパ手段が上述のように開成するが、第１非居室用換気扇が作動しているので、請求項５に記載の発明の作用効果を達成するにあたり、化粧室の使用時に発生する臭気が更衣室、ホール及び廊下のいずれか及び居室に流入することはない。
【００２６】
また、本発明は、請求項７の記載によれば、請求項６に記載の住宅のための空調システムにおいて、
第３制御手段による制御状態において、第２操作手段の操作が解除されたとき、第２非居室用換気扇を停止し、かつダンパ手段を開成するとともに第１非居室用換気扇を作動するように制御する第４制御手段（２７０、２８０）を備えることを特徴とする。
【００２７】
これにより、第２非居室の空調は第２操作手段の操作中にのみなされるので、居室内の空調空気を効率よく利用しつつ請求項６に記載の発明の作用効果が達成され得る。また、上述のごとく、第２排出手段の停止に伴いダンパ手段が開成しかつ第１排出手段が作動するので、上述した第１非居室の空調が居室の換気を確保しつつ継続維持され得る。
【００２８】
また、本発明は、請求項８の記載によれば、請求項６または７に記載の住宅のための空調システムにおいて、
ダクトは、互いに連通する上流部（３１ａ）及び下流部（３１ｂ）でもって形成されて上記上流部にて居室に連通するとともに上記下流部にて化粧室に連通する本体ダクト部（３１）と、上記上流部から上記下流部とは分岐して延出し更衣室、廊下及びホールのいずれかに連通する分岐ダクト部（３２）とでもって構成されており、
ダンパ手段は、上記下流部内に開閉可能に設けたダンパ（７０）であることを特徴とする。
【００２９】
このように構成することにより、請求項６または７に記載の発明と同様の作用効果がより一層具体的に達成され得る。
【００３０】
なお、上記各手段の括弧内の符号は、後述する実施形態に記載の具体的手段との対応関係を示すものである。
【発明を実施するための最良の形態】
【００３１】
以下、本発明の各実施形態を図面により説明する。
（第１実施形態）
図１及び図２は、本発明が適用される住宅のための空調システムの第１実施形態を示している。
【００３２】
住宅（以下、住宅１０ともいう）は、図１にて示すような配置構成でもって、居室に相当する居間１１、和室１２及び食堂１３と、非居室に相当する化粧室１４、更衣室１５、浴室１６、ホール１７及び廊下１８とに区画して構成されている。なお、更衣室１５は、洗面室を兼ねている。また、食堂１３は、台所を兼ねている。また、ホール１７には玄関１７ａが設けられている。
【００３３】
当該空調システムは、図１及び図２にて示すごとく、空調ユニット２０を備えており、この空調ユニット２０は、室内機２１及び室外機（図示しない）でもって構成されている。
【００３４】
室内機２１は、図１及び図２にて示すごとく、居間１１内にてその壁のうち住宅１０の外側に面する壁１１ａの上部に取り付けられており、この室内機２１は、上記室外機から冷媒ダクト（後述する）を通り供給される冷媒との熱交換により、居間１１内から導入した空気（内気ともいう）を空調（暖房或いは冷房等）するように構成されている。
【００３５】
また、この室内機２１は、給気装置（図示しない）を内蔵しており、この給気装置は、住宅１０の外側の空気（外気ともいう）を、壁１１ａの上部に形成された給気口部１１ｂを通して室内機２１内に導入するように構成されている。本第１実施形態では、室内機２１は、上記内気に加え、上記給気装置により導入した外気をも空調するように構成されている。
【００３６】
また、上記室外機は、壁１１ａの外側に配設されており、この室外機は、壁１１ａの上部に形成された開口部（図示しない）を通り室内機２１から延出する上記冷媒ダクト（図示しない）に接続されている。しかして、当該室外機は、室内機２１から空調後に上記冷媒ダクトを通して還流される冷媒を、放熱或いは吸熱させて、再び、上記冷媒ダクトを通して室内機２１内に流入させる。
【００３７】
また、空調ユニット２０は、操作器２０ａを有しており、この操作器２０ａは、起動スイッチ部及び運転切り換え部（図示しない）を備えている。上記起動スイッチ部は、空調ユニット２０を起動するとき投入操作される。また、上記運転切り換え部は、空調ユニット２０を暖房運転或いは冷房運転等におくとき切り換え操作される。なお、操作器２０ａは、居間１１の壁１１ａに室内機２１の近傍にて配設されている。
【００３８】
当該空調システムは、案内ダクト３０を備えており、この案内ダクト３０は、住宅１０の天井裏１０ａに配設されている。なお、天井裏１０ａは、住宅１０の居室及び非居室に共通に形成されている。
【００３９】
案内ダクト３０は、図１及び図２にて示すごとく、その流入口部にて、居間１１の天井１１ｃに設けた開口部１１ｄに接続されており、該案内ダクト３０の流出口部は、化粧室１４の天井１４ａに設けた開口部１４ｂに接続されている。これにより、案内ダクト３０は、居間１１の内部を化粧室１４の内部に連通させる。
【００４０】
また、当該空調システムは、化粧室用換気扇４０を備えており、この換気扇４０は、図１及び図２にて示すごとく、化粧室１４内の便器１４ｃの近傍にて、当該化粧室１４に形成した排出口部１４ｄ内に気密的に嵌着されている。当該換気扇４０は、その作動により化粧室１４の内部を住宅１０の外部に連通させ、化粧室１４内の空気を住宅１０の側に排出する。また、当該換気扇４０は、その停止により化粧室１４の内部を住宅１０の外部から遮断して、化粧室１４内の空気の住宅１０の側への排出を停止する。
【００４１】
本実施形態では、上述の排出口部１４ｄは、化粧室１４の壁のうち住宅１０の外側に面する壁１４ｅの下端部に形成されている。このように当該排出口部１４ｄを壁１４ｅの下端部に形成したのは、化粧室１４内の空気を、全て、当該化粧室１４の上方（天井１４ａ側への方向）への流動を伴うことなく、下方へ流動させて、当該排出口部１４ｄから住宅１０の外側へ排出し得るようにするためである。
【００４２】
また、当該空調システムは、化粧室用換気扇スイッチ４０ａを備えており、この換気扇スイッチ４０ａは、図１及び図２にて示すごとく、化粧室１４の壁のうち廊下１８に面する壁の上下方向中間部位に、当該化粧室のドアの近傍にて設けられている。なお、この換気扇スイッチ４０ａは、換気扇４０を作動させるとき投入操作される。
【００４３】
本第１実施形態では、居間１１の開口部１１ｄの開口面積、案内ダクト３０の長さ及び内径、化粧室１４の開口部１４ｂの開口面積並びに換気扇４０の排出能力が、居間１１及び化粧室１４の各容積を基準として、居間１１の空調を適正に維持しつつ、化粧室１４の空調を居間１１の空調と実質的に同様に確保し得るように、設計仕様として、設定されている。なお、化粧室１４の容積は、居間１１の容積に比べて、かなり小さくなっている。例えば、化粧室１４の容積は、居間１１の空調を不適正に変化させない程度に所定容積だけ小さく設定されている。このことは、住宅１０において化粧室１４の以外の非居室についても同様である。
【００４４】
以上のように構成した本第１実施形態において、季節が、例えば、寒い冬季であるものとする。このような環境において、操作器２０ａの起動スイッチ部を投入操作するとともに運転切り換え部を上記暖房運転に切り換え操作すれば、空調ユニット２０は、上記起動スイッチ部の投入操作に基づき商用電源（図示しない）から給電されて、室内機２１及び上記室外機の駆動のもと、暖房動作におかれる。このとき、上記給気装置が、室内機２１の駆動に合わせて外気を室内機２１内に導入するように動作する。
【００４５】
すると、居間１１の内気及び上記給気装置により導入された外気が、室内機２１内にて上述した冷媒との熱交換により暖められて居間１１内に供給される。このことは、空調ユニット２０が居間１１を暖房状態におくことを意味する。
【００４６】
このような状態において、換気扇スイッチ４０ａを投入操作すると、換気扇４０が作動して化粧室１４内の空気を排出する。このような排出のもと、居間１１内の暖房空気が、案内ダクト３０により導入されて化粧室１４内に天井１４ａの開口部１４ｂを通り案内される。
【００４７】
これにより、化粧室１４は、その全体に亘り、居間１１からの暖房空気でもって暖房される。ここで、居間１１から化粧室１４内への暖房空気は、上述のごとく、案内ダクト３０でもって案内される。このため、上記設計仕様のもと、居間１１内の暖房空気が、その熱損失を最小限に抑制しつつ、化粧室１４内に案内される。
【００４８】
ここで、化粧室１４の容積は、上述のごとく、居間１１の容積に比べてかなり小さい。このため、上記設計仕様のもと、化粧室１４が、居間１１からの暖房空気でもって、居間１１と実質的に同様の暖房状態に維持され得る。その結果、上述のような寒い冬季において化粧室１４を利用しても、当該化粧室１４が上述のように暖房状態にあることから、使用者は、寒さを感ずることがない。
【００４９】
また、居間１１からの暖房空気は、化粧室１４の下端部に位置する換気扇４０の排出作動に伴い、化粧室１４の天井１４ａから常に下方へ向けて流動することとなる。その結果、便器１４ｃからの臭気は上方に流動することなく下方へ流動するので、使用者は便器１４ｃからの臭気を感じることもない。
【００５０】
また、上述のように化粧室１４内に案内された暖房空気は、換気扇４０により当該化粧室１４の排出口部１４ｄから住宅１０の屋外に排出される。このことは、外気が上記給気装置により居間１１の内部に暖房供給されている状態において、居間１１内の内気は、化粧室１４の排出口部１４ｄから排出されることを意味する。従って、居間１１及び化粧室１４の双方を適正に暖房しながら、居間１１の換気が化粧室１４の換気とともに適正になされ得る。
【００５１】
ここで、化粧室１４内の暖房空気の排出は、化粧室１４の壁１４ｅの下端部に設けた換気扇４０でもってなされるにすぎない。従って、化粧室１４内の暖房空気の排出が簡単な構成でもってなされ得ることとなる、このことは、上述した居間１１及び化粧室１４を適正に暖房しながらの居間１１の換気が、余分な構成部材を伴うことなく換気扇４０という簡単な構成でもってなされ得ることを意味する。
【００５２】
また、上述とは異なり、季節が、寒い冬季ではなく、暑い夏季にある場合には、操作器２０ａの上記運転切り換え部を上記冷房運転に切り換え操作して空調ユニット２０を冷房作動状態におく。このような状態において、上述と同様に化粧室１４内の空気を換気扇４０により排出すれば、居間１１内の冷房空気が案内ダクト３０により化粧室１４内に案内される。
【００５３】
これにより、化粧室１４が居間１１と実質的に同様の冷房状態に維持されるので、使用者は、暑さを感ずることがない。その他の作用効果は、暖房の場合と同様である。なお、操作器２０ａの上記運転切り換え部を、上記暖房運転や上記冷房運転ではなく、単なる送風運転、除湿運転等の他の空調運転に切り換え操作すれば、化粧室１４は、居間１１の上記他の空調運転に対応する空調状態に維持され得る。
【００５４】
なお、上記第１実施形態において、化粧室１４内の光源の点灯用として通常設けられる点灯スイッチを、換気扇スイッチ４０ａとして利用してもよい。
（第２実施形態）
図３〜図７は、本発明が適用される住宅のための空調システムの第２実施形態を示している。この第２実施形態における空調システムは、上記第１実施形態にて述べた空調システムにおいて、案内ダクト３０に代えて、案内ダクト３０ａを採用している。なお、上記第１実施形態にて述べた住宅１０の更衣室１５内には、洗面台１５ａが、図３にて示す位置にて設けられている。
【００５５】
案内ダクト３０ａは、図３にて示すごとく、本体ダクト部３１及びこの本体ダクト部３１から分岐する分岐ダクト部３２でもって構成されている。
【００５６】
ここで、本体ダクト部３１は、上記第１実施形態にて述べた案内ダクト３０に対応するもので、この本体ダクト部３１は、案内ダクト３０と同様に住宅１０の天井裏１０ａに配設されている。当該本体ダクト部３１は、互いに連通する上流部３１ａ及び下流部３１ｂでもって構成されており、上流部３１ａは、居間１１内にその天井１１ｃの開口部１１ｄを介し連通している。また、下流部３１ｂは、化粧室１４内にその天井１４ａの開口部１４ｂを介し連通している（図３及び図４参照）。
【００５７】
また、分岐ダクト部３２は、本体ダクト部３１の上流部３１ａの下流端部から下流部３１ｂとは分岐して延出し、更衣室１５の天井１５ｂに形成した開口部１５ｃを介し当該更衣室１５内に連通している（図３及び図５参照）。これにより、分岐ダクト部３２は、更衣室１５の内部を上流部３１ａ内に連通させる。また、上流部３１ａ及び下流部３１ｂは上述のごとく互いに連通するので、分岐ダクト部３２は、更衣室１５の内部を下流部３１ｂ内にも連通させる。
【００５８】
また、本第２実施形態における空調システムは、上記第１実施形態にて述べた空調システムにおいて、更衣室用換気扇５０、更衣室用換気扇スイッチ５０ａ及び制御装置６０を付加的に採用している（図３〜図６参照）。
【００５９】
換気扇５０は、図３及び図５から分かるように、洗面台１５ａの近傍にて更衣室１５の壁に形成した排出口部１５ｄ内に気密的に嵌着されており、当該換気扇５０は、その作動により更衣室１５の内部を住宅１０の外部に連通させ、更衣室１５内の空気を住宅１０の側に排出する。また、当該換気扇５０は、その停止により更衣室１５の内部を住宅１０の外部から遮断して、更衣室１５内の空気の住宅１０の側への排出を停止する。
【００６０】
本実施形態では、上述の排出口部１５ｄは、更衣室１５の壁のうち当該住宅の外側に面する壁１５ｅの下端部に形成されている。このように当該排出口部１５ｄを壁１５ｅの下端部に形成したのは、更衣室１５内の空気を、全て、当該更衣室１５の上方（天井１５ｂ側への方向）への流動を伴うことなく、下方へ流動させて、当該排出口部１５ｄから住宅１０の外側へ排出し得るようにするためである。
【００６１】
換気扇スイッチ５０ａは、図３及び図５にて示すごとく、更衣室１５のドアの近傍にて、この更衣室１５の壁のうち廊下１８に面する壁の上下方向中間部位に設けられている。この換気扇スイッチ５０ａは、換気扇５０を作動させるとき投入操作される。
【００６２】
制御装置６０は、図６にて示すごとく、マイクロコンピュータ６１と、化粧室用換気扇駆動回路６２と、更衣室用換気扇駆動回路６３とを有している。
【００６３】
マイクロコンピュータ６１は、図７にて示すフローチャートに従い、所定の制御プログラムを実行する。この実行中において、マイクロコンピュータ６１は、操作器２０ａの起動操作部の投入操作に基づく化粧室用換気扇駆動処理、換気扇スイッチ５０ａの投入操作或いはその解除の判定処理に基づく更衣室用換気扇駆動処理或いは更衣室用換気扇停止処理を行う。なお、マイクロコンピュータ６１は、操作器２０ａの起動スイッチ部の投入操作に基づき上記商用電源から給電されて作動する。また、上記制御プログラムは、マイクロコンピュータ６１のＲＯＭに当該マイクロコンピュータ６１により読み出し可能に予め記憶されている。
【００６４】
換気扇駆動回路６２は、マイクロコンピュータ６１による制御のもと、換気扇４０を作動するように駆動し或いは停止させる。換気扇駆動回路６３は、マイクロコンピュータ６１による制御のもと、換気扇５０を作動するように駆動し或いは停止させる。なお、本第２実施形態では、上記第１実施形態にて述べた換気扇スイッチ４０ａは廃止されている。その他の構成は、上記第１実施形態と同様である。
【００６５】
以上のように構成した本第２実施形態において、上記第１実施形態と同様に、季節が寒い冬季であるものとする。このような状態において、操作器２０ａの起動スイッチ部の投入操作及び運転切り換え部の暖房運転への切り換え操作がなされると、空調ユニット２０は、上記第１実施形態にて述べたと同様に、暖房動作状態になり、居間１１を暖房状態におく。
【００６６】
また、上述のように、操作器２０ａの起動スイッチ部の投入操作がなされると、マイクロコンピュータ６１は、上記商用電源から給電されて、図７のフローチャートに従い上記制御プログラムを実行し始める。まず、ステップ１００において、化粧室用換気扇駆動処理がなされる。これに伴い、換気扇４０が作動するように換気扇駆動回路６２により駆動される。このため、当該換気扇４０は、その作動により、化粧室１４内の空気を排出する。
【００６７】
すると、この換気扇４０による空気の排出のもと、居間１１内の暖房空気が、案内ダクト３０ａの本体ダクト部３１により化粧室１４内に案内される。このとき、換気扇５０は停止したままにあるから、更衣室１５の内部は換気扇５０により当該住宅の外部から遮断されている。
【００６８】
これにより、換気扇５０の停止のもと、化粧室１４が、上記第１実施形態にて述べたと同様に、居間１１からの暖房空気でもって、居間１１と実質的に同様の暖房状態に維持され得る。その結果、化粧室１４を使用しても、当該化粧室１４が上述のように暖房状態にあることから、使用者は、寒さを感ずることがない。
【００６９】
また、上述のように化粧室１４内に案内された暖房空気は、換気扇４０により当該化粧室１４の排出口部１４ｄから住宅１０の外側に排出される。従って、上記第１実施形態と同様に、居間１１及び化粧室１４を適正に暖房しながら、居間１１の換気が適正になされ得る。
【００７０】
ステップ１００の処理後、ステップ１１０において、換気扇スイッチ５０ａの投入操作か否かにつき判定される。現段階では、換気扇スイッチ５０ａが投入操作されていないことから、換気扇４０の作動状態を維持したまま、ステップ１１０にてＮＯとの判定が繰り返される。
【００７１】
このような状態において、洗面台１５ａの使用或いは入浴のために更衣室１５に入る者が換気扇スイッチ５０ａを投入操作すると、ステップ１１０にてＹＥＳと判定されて、ステップ１２０にて、更衣室用換気扇駆動処理がなされる。これに伴い、換気扇４０の作動のもと、換気扇５０が作動するように換気扇駆動回路６３により駆動される。このため、当該換気扇５０は、その作動により、更衣室１５内の空気を排出する。
【００７２】
従って、居間１１内の暖房空気が、本体ダクト部３１及び分岐ダクト部３２により化粧室１４及び更衣室１５の各内部に案内される。
【００７３】
これに伴い、上述した化粧室１４の暖房のもと、更衣室１５が暖房状態におかれる。ここで、更衣室１５及び化粧室１４の各容積の和が居間１１の容積に比べてかなり小さければ、居間１１、更衣室１５及び化粧室１４の各暖房状態はほぼ適正に維持され得る。
【００７４】
このため、寒い冬季において、上述のように更衣室１５に入った者が寒さを感じることはない。また、更衣室１５が暖房状態にあるとき、化粧室１４は上述のように暖房状態にあるため、更衣室１５の使用中に化粧室１４を使用しても寒さを感ずることはない。
【００７５】
このような状態において、洗面台１５ａの使用或いは入浴を終えて更衣室１５から出る者が換気扇スイッチ５０ａの投入操作を解除すると、ステップ１３０において、ＹＥＳと判定される。すると、ステップ１４０にて、更衣室用換気扇停止処理がなされる。これに伴い、換気扇５０が、換気扇駆動回路６３により停止されて、更衣室１５内の暖房空気の排出を停止する。
【００７６】
なお、上述したステップ１４０における処理の終了に伴い、上記制御プログラムは、リターンステップからスタートステップに戻り、再び、ステップ１００以後の処理が図７のフローチャートに従いなされる。このため、居間１１の空調空気を利用した化粧室１４や更衣室１５内の空調や空気の排出等が、上述と同様に、居間１１の換気を確保しつつ、継続的に維持され得る。
【００７７】
以上のように、換気扇４０を作動させたままにおいて、更衣室１５を上述のように使用するときに換気扇５０を作動するように駆動する。従って、上述のように寒い冬季であっても、居間１１内の暖房空気を利用して、化粧室１４の暖房を常時適正に維持しながら、更衣室１５の使用の際には当該更衣室１５の暖房を適正に確保し得るとともに、居間１１の換気を化粧室１４の換気とともに適正に行い得る。また、更衣室１５の換気も、上述の使用中において確保し得る。
【００７８】
また、上述のごとく、換気扇５０の作動は換気扇スイッチ５０ａを投入操作した場合に限られる。従って、居間１１内の暖房空気は、無駄なく効率よく利用され得る。
【００７９】
また、両換気扇４０、５０は、上述のごとく、それぞれ、化粧室１４及び更衣室１５の各壁１４ｅ、１５ｅの下部に設けられている。このため、上述のような作用効果を達成しつつ、化粧室１４及び更衣室１５内の空調や空気の排出を、居間１１の換気とともに、余分な構成部材を伴うことなく、化粧室１４及び更衣室１５の各壁１４ｅ、１５ｅの下部にそれぞれ各換気扇４０、５０を設けるという簡単な構成でもって適正に確保し得る。その他の作用効果は、上記第１実施形態と実質的に同様である。
【００８０】
なお、上記第２実施形態において、更衣室１５内の光源の点灯用として通常設けられる点灯スイッチを、換気扇スイッチ５０ａとして利用してもよい。
（第３実施形態）
図８〜図１１は、本発明が適用される住宅のための空調システムの第３実施形態を示している。この第３実施形態における空調システムは、上記第２実施形態にて述べた空調システムにおいて、ダンパ７０を付加的に採用している。
【００８１】
ダンパ７０は、図８及び図９にて示すごとく、上記第２実施形態にて述べた本体ダクト部３１の下流部３１ｂ内に、開閉可能に設けられている。これにより、このダンパ７０は、その開成により、本体ダクト部３１の下流部３１ｂを上流部３１ａに連通させる。また、当該ダンパ７０は、その閉成により、本体ダクト部３１の下流部３１ｂを上流部３１ａから遮断する。
【００８２】
また、本第３実施形態における空調システムは、図８及び図９或いは図１０にて示すごとく、上記第２実施形態にて述べた空調システムにおいて、上記第１実施形態にて述べた化粧室用換気扇スイッチ４０ａを付加的に採用し、かつ、制御装置６０に代えて制御装置６０ａを採用している。
【００８３】
制御装置６０ａは、図１０にて示すごとく、上記第２実施形態にて述べた制御装置６０にて述べたマイクロコンピュータ６１及び両換気扇駆動回路６２、６３に加えて、ダンパ駆動回路６４を有する。
【００８４】
本第３実施形態において、マイクロコンピュータ６１は、図７のフローチャートに代えて、図１１にて示すフローチャートに従い、上記制御プログラムを実行するように変更されている。ダンパ駆動回路６４は、マイクロコンピュータ６１による制御を受けて、ダンパ７０を開成或いは閉成するように駆動する。その他の構成は、上記第２実施形態と同様である。
【００８５】
以上のように構成した本第３実施形態において、上記第２実施形態と同様に、季節が寒い冬季にあり、空調ユニット２０が居間１１を暖房状態におくものとする。
【００８６】
また、マイクロコンピュータ６１が、上記第２実施形態と実質的に同様にして、上記制御プログラムを図１１のフローチャートに従い実行し始めると、ステップ２００において、ダンパ開成駆動処理がなされる。なお、このとき、化粧室用換気扇スイッチ４０ａは、投入操作されていないものとする。
【００８７】
上述のようにダンパ開成駆動処理がなされると、ダンパ７０がダンパ駆動回路６４により駆動されて開成する。このため、本体ダクト部３１が、下流部３１ｂにて、上流部３１ａに連通し、化粧室１４の内部を居間１１の内部に連通させる。
【００８８】
ステップ２００における処理後、ステップ２１０において、化粧室用換気扇駆動処理がなされる。これに伴い、換気扇４０が作動するように換気扇駆動回路６２により駆動される。このため、当該換気扇４０は、その作動により、化粧室１４内の空気を排出する。すると、この換気扇４０による排出のもと、居間１１内の暖房空気が、本体ダクト部３１により化粧室１４内に案内される。
【００８９】
上述のようにステップ２１０における処理が終了すると、ステップ２２０において、更衣室用換気扇スイッチ５０ａの投入操作か否かにつき判定される。現段階では、換気扇スイッチ５０ａが投入操作されていないことから、ステップ２２０にてＮＯとの判定が繰り返される。
【００９０】
このような状態において、上記第２実施形態と同様に洗面台１５ａの使用或いは入浴のために更衣室１５に入る者が換気扇スイッチ５０ａを投入操作すると、ステップ２２０にてＹＥＳと判定されて、ステップ２３０において、更衣室用換気扇駆動処理がなされる。これに伴い、換気扇５０が、作動するように換気扇駆動回路６３により駆動される。このため、当該換気扇５０は、その作動により、更衣室１５内の空気を排出する。
【００９１】
ついで、ステップ２４０において、換気扇スイッチ４０ａの投入操作か否かにつき判定される。現段階において、上述のごとく、換気扇スイッチ４０ａは投入操作されていないことから、ステップ２４０における判定はＮＯとなる。このため、ステップ２５０において、ダンパ閉成駆動処理がなされ、ついで、ステップ２５１において、化粧室用換気扇停止処理がなされる。
【００９２】
上述のようにダンパ閉成駆動処理がなされると、ダンパ７０がダンパ駆動回路６４により閉成されて、本体ダクト部３１の下流部３１ｂを上流部３１ａから遮断する。また、上述のように化粧室用換気扇停止処理がなされると、換気扇４０が換気扇駆動回路６２により停止されて化粧室１４内の空気の排出を停止する。
【００９３】
以上のように、換気扇５０が作動しても、換気扇４０が停止するので、換気扇５０による排出のもと、居間１１内の暖房空気が、化粧室１４ではなく、分岐ダクト部３２により更衣室１５内に案内される。このため、更衣室１５のみが、居間１１内の暖房空気でもって暖房され得る。このような状態では、居間１１内の暖房空気は、更衣室１５の暖房にのみ利用されるので、当該更衣室１５の暖房が適正になされ得る。
【００９４】
このような状態においては、上述のごとく、ダンパ７０が閉成しているので、分岐ダクト部３２が、本体ダクト部３１の下流部３１ｂから遮断されている。従って、換気扇４０が上述のように停止しても、化粧室１４内の空気が更衣室１５内に流入することはない。その結果、更衣室１５内の者が、化粧室１４内の空気中の臭気によって不快感をいだくという事態が発生することはない。
【００９５】
ステップ２５１における処理後、ステップ２７０において、換気扇スイッチ５０ａの投入操作が解除されたか否かにつき判定される。上述のように、換気扇スイッチ５０ａは投入操作されたままであるので、ステップ２７０における判定がＮＯとなり、各ステップ２４０、２５０、２５１及び２７０を循環する処理が繰り返される。
【００９６】
このような状態において、化粧室１４を使用する者が換気扇スイッチ４０ａを投入操作すると、上記制御プログラムがステップ２４０に達したとき、ＹＥＳと判定される。このため、ステップ２６０において、ダンパ開成駆動処理がなされ、ついで、ステップ２６１において、化粧室用換気扇駆動処理がなされる。
【００９７】
しかして、上述のようにダンパ開成駆動処理がなされると、換気扇５０の作動のもと、ダンパ７０が、ダンパ駆動回路６４により駆動されて開成し、本体ダクト部３１の下流部３１ｂを上流部３１ａに連通させる。また、上述のように化粧室用換気扇駆動処理がなされると、換気扇４０が作動するように換気扇駆動回路６２により駆動される。このため、当該換気扇４０は、その作動により、化粧室１４内の空気を排出する。
【００９８】
従って、居間１１内の暖房空気が、本体ダクト部３１によりダンパ７０を介し化粧室１４内に案内されるとともに、本体ダクト部３１及び分岐ダクト部３２により更衣室１５内に案内される。これにより、上述のような更衣室１５の使用時に化粧室１４を使用すると、居間１１内の暖房空気でもって、更衣室１５及び化粧室１４の双方が暖房され得る。このように更衣室１５及び化粧室１４の双方が暖房されても、更衣室１５及び化粧室１４の各容積の和が居間１１の容積に比べてかなり小さければ、居間１１、更衣室１５及び化粧室１４の各暖房状態はほぼ適正に維持され得る。
【００９９】
このような段階においては、ダンパ７０が開成していても、換気扇４０が上述のごとく化粧室１４内の空気を排出している。従って、化粧室１４内の空気が本体ダクト部３１の下流部３１ｂ及び分岐ダクト部３２を通り更衣室１５内に流入することはない。その他の作用効果は、上記第２実施形態と実質的に同様である。
【０１００】
なお、ステップ２７０におけるＮＯとの判定の繰り返し状態において、換気扇スイッチ５０ａの投入操作が解除されると、ステップ２７０にてＹＥＳと判定されて、ステップ２８０において、更衣室用換気扇停止処理がなされる。これに伴い、換気扇５０が換気扇駆動回路６３により停止されて、更衣室１５内の空気の排出を停止する。然る後、上記制御プログラムは、リターンステップからスタートステップに戻り、再び、ステップ２００以後の処理がなされる。このため、居間１１の空調空気を利用した化粧室１４や更衣室１５の空調等が上述と同様に居間１１の換気を確保しつつ継続的に維持され得る。
【０１０１】
また、上記第３実施形態において、化粧室１４内及び更衣室１５内の各光源の点灯用として通常設けられる各点灯スイッチを、換気扇スイッチ４０ａ及び換気扇スイッチ５０ａとして利用してもよい。
【０１０２】
なお、本発明の実施にあたり、上記各実施形態に限ることなく、次のような種々の変形例が挙げられる。
（１）上記第２或いは第３の実施形態において、マイクロコンピュータ６１は、空調ユニット２０の操作器２０ａの起動スイッチ部の投入操作に代えて、専用スイッチの投入操作に基づき、上記商用電源から給電されて作動し、上記制御プログラムの実行を開始するようにしてもよい。なお、上記専用スイッチとしては、例えば、居間１１の２４時間の換気を確保するために設けられるスイッチが挙げられる。
（２）換気扇スイッチ４０ａ或いは換気扇スイッチ５０ａに代えて、化粧室入室センサ或いは更衣室入室センサを用いるようにしてもよい。なお、換気扇スイッチ４０ａの投入操作が、上記化粧室入室センサが化粧室への使用者の入室を検出したときに対応する。また、換気扇スイッチ５０ａの投入操作が、上記更衣室入室センサが更衣室への使用者の入室を検出したときに対応する。
（３）上記第２或いは第３の実施形態において、互いに連通する上流部３１ａ及び分岐ダクト部３２を、更衣室１５の内部を居間１１の内部に連通させる本体ダクト部とし、下流部３１ｂを、化粧室１４の内部を上流部３１ａに連通させる分岐ダクト部としてもよい。なお、ダンパ７０は、上記第３実施形態と同様に述べたように、下流部３１ｂ内に設けられている。
（４）居間１１に代えて、例えば和室１２或いは食堂１３に、空調ユニット２０を設けて、案内ダクト３０或いは案内ダクト３０ａを、その流入口部にて、和室１２或いは食堂１３の天井に設けた開口部に接続して、和室１２或いは食堂１３の暖房等の空気を化粧室１４或いは更衣室１５の暖房等に利用するようにしてもよい。
（５）化粧室１４或いはこの化粧室１４及び更衣室１５に代えて、例えば、ホール１７或いはこのホール１７及び廊下１８を居間１１内の暖房空気でもって暖房するようにしてもよい。この場合、案内ダクト３０をその流出口部にてホール１７の天井に設けた開口部に接続するか、或いは案内ダクト３０ａの下流部及び分岐ダクト部を、ホール１７及び廊下１８の各天井に設けた開口部に接続する。なお、換気扇を、ホール１７及び廊下１８の壁のうち住宅１０の外側に面する壁の下端部に形成した排出口部に気密的に嵌着する。
（６）空調ユニット２０の給気装置を廃止してもよい。この場合、居間１１内にその給気口部１１ｂから外気を導入するようにする。
（７）案内ダクト３０の流入口部或いは案内ダクト３０ａの本体ダクト部の上流部の流入口部に別途換気扇を設け、この換気扇により居間１１の暖房空気等を、案内ダクト３０或いは案内ダクト３０ａ内に導入するようにしてもよい。
【図面の簡単な説明】
【０１０３】
【図１】本発明が適用される住宅のための空調システムの第１実施形態を示す概略平面図である。
【図２】図１の２−２線に沿う拡大断面図である。
【図３】本発明が適用される住宅のための空調システムの第２実施形態を示す概略平面図である。
【図４】図３の４−４線に沿う拡大断面図である。
【図５】図３の５−５線に沿う拡大断面図である。
【図６】上記第２実施形態におけるブロック図である。
【図７】上記第２実施形態のマイクロコンピュータの作用を示すフローチャートである。
【図８】本発明が適用される住宅のための空調システムの第３実施形態を示す概略平面図である。
【図９】図８の９−９線に沿う拡大断面図である。
【図１０】上記第３実施形態におけるブロック図である。
【図１１】上記第３実施形態のマイクロコンピュータの作用を示すフローチャートである。
【符号の説明】
【０１０４】
１０…住宅、１０ａ…天井裏、１１…居間、１１ａ、１４ｅ、１５ｅ…壁、
１１ｂ…給気口部、１１ｃ、１５ｂ…天井、１１ｄ、１４ｂ、１５ｃ…開口部、
１２…和室、１３…食堂、１４…化粧室、１４ａ…天井、１４ｄ、１５ｄ…排出口部、
１５…更衣室、１７…ホール、１８…廊下、２０…空調ユニット、２０ａ…操作器、
２１…室内機、３０、３０ａ…案内ダクト、３１…本体ダクト部、３１ａ…上流部、
３１ｂ…下流部、３２…分岐ダクト部、４０、５０…換気扇、
４０ａ、５０ａ…換気扇スイッチ、６０、６０ａ…制御装置、
６１…マイクロコンピュータ、６２、６３…換気扇駆動回路、６４…ダンパ駆動回路、
７０…ダンパ。
【図１】
2007247913.tif 000003
【図２】
2007247913.tif 000004
【図３】
2007247913.tif 000005
【図４】
2007247913.tif 000006
【図５】
2007247913.tif 000007
【図６】
2007247913.tif 000008
【図７】
2007247913.tif 000009
【図８】
2007247913.tif 000010
【図９】
2007247913.tif 000011
【図１０】
2007247913.tif 000012
【図１１】
2007247913.tif 000013